(57)【特許請求の範囲】
【請求項１】
設計又は製図に用いるための図面要素を、作業工程に関連付けて格納する格納手段と、
作業対象物を構成する部品に関する情報であって、複数の作業工程で共通する情報を基本情報として保存する基本情報保存手段と、
部品に関する情報であって、作業工程によって異なる情報をパラメータとして保存するパラメータ保存手段と、
前記基本情報保存手段により保存された基本情報と、前記パラメータ保存手段により保存されたパラメータとに基づいて、図面要素を生成する生成手段と、
ユーザにより指定された作業工程に基づいて、前記格納手段により格納された図面要素を読み出す読出し手段と
を有し、
前記格納手段は、前記生成手段により生成された図面要素を基本情報に関連付けて格納する
情報管理装置。
【請求項２】
前記基本情報保存手段は、少なくとも、作業対象物を構成する部品の仕様及び特性を前記基本情報として保存し、
前記パラメータ保存手段は、少なくとも、設計工程で用いられる部品の設計パラメータ、及び、部品又は作業対象物の製造工程で用いられる部品の製造パラメータを前記パラメータとして保存し、
前記生成手段は、前記基本情報保存手段により保存される仕様又は特性と、前記パラメータ保存手段により保存される設計パラメータ又は製造パラメータとを用いて、各作業工程の図面要素を生成する
請求項１に記載の情報管理装置。
【請求項３】
前記作業工程には、少なくとも、設計工程及び製造工程を含み、
前記格納手段は、部品の図面要素を、少なくとも、部品の用途と、作業工程とに関連付けて格納する
請求項１に記載の情報管理装置。
【請求項４】
前記格納手段は、部品の図面要素を、部品の設計密度と、作業工程とに関連付けて格納する
請求項３に記載の情報管理装置。
【請求項５】
前記格納手段は、図面要素に加えて、製品の設計工程で作成される文書、製品の製造工程で作成される文書、及び、製品の保守工程で作成される文書を、各作業工程に関連付けて格納し、
製品ライフサイクル管理システムとして機能する
請求項１に記載の情報管理装置。
【請求項６】
コンピュータが、設計又は製図に用いるための図面要素を作業工程に関連付けてデータベースに格納するステップと、
複数の作業工程で共通する情報を基本情報として保存するステップと、
作業工程によって異なる情報をパラメータとして保存するステップと、
前記基本情報と、前記パラメータとに基づいて、図面要素を生成するステップと、
コンピュータが、ユーザにより指定された作業工程に基づいて、前記データベースから図面要素を読み出すステップと
を有し、
前記データベースに格納するステップにおいて、前記基本情報と前記パラメータとに基づいて生成された図面要素が、前記データベースに基本情報に関連付けて格納される
情報管理方法。
【請求項７】
設計又は製図に用いるための図面要素を作業工程に関連付けてデータベースに格納するステップと、
複数の作業工程で共通する情報を基本情報として保存するステップと、
作業工程によって異なる情報をパラメータとして保存するステップと、
前記基本情報と、前記パラメータとに基づいて、図面要素を生成するステップと、
ユーザにより指定された作業工程に基づいて、前記データベースから図面要素を読み出すステップと
をコンピュータに実行させ、
前記データベースに格納するステップにおいて、前記基本情報と前記パラメータとに基づいて生成された図面要素を、前記データベースに基本情報に関連付けて格納させる
プログラム。
【発明の詳細な説明】
【技術分野】
【０００１】
本発明は、情報管理装置、情報管理方法、及びプログラムに関する。
【背景技術】
【０００２】
例えば、特許文献１には、複数のツールを備えてなるＣＡＤシステムにおいて、使用する各々のツールのいずれかのバージョンでライブラリとして必要な情報を、情報の種類で分類した共通のフォーマットで保有するライブラリ情報統一データベースと、使用するツール、バージョン全てのライブラリの記述規則を格納する記述規則データベースと、ツール名及びそのバージョンを指示することよって、指示されたツールとそのバージョンの記述規則に従ったライブラリを前記ライブラリ情報統一データベース及び記述規則データベースから生成するライブラリ抽出システムとを具備することを特徴とするＣＡＤライブラリ管理システムが開示されている。
【先行技術文献】
【特許文献】
【０００３】
【特許文献１】特開平１０−２７５１６７号公報
【発明の概要】
【発明が解決しようとする課題】
【０００４】
作業工程間の連携を円滑化する情報管理装置を提供することを目的とする。
【課題を解決するための手段】
【０００５】
本発明に係る情報管理装置は、設計又は製図に用いるための図面要素を、作業工程に関連付けて格納する格納手段と、ユーザにより指定された作業工程に基づいて、前記格納手段により格納された図面要素を読み出す読出し手段とを有する。
【０００６】
好適には、作業対象物を構成する部品に関する情報であって、複数の作業工程で共通する情報を基本情報として保存する基本情報保存手段と、部品に関する情報であって、作業工程によって異なる情報をパラメータとして保存するパラメータ保存手段と、前記基本情報保存手段により保存された基本情報と、前記パラメータ保存手段により保存されたパラメータとに基づいて、図面要素を生成する生成手段とをさらに有し、前記格納手段は、前記生成手段により生成された図面要素を格納する。
【０００７】
好適には、前記基本情報保存手段は、少なくとも、作業対象物を構成する部品の仕様及び特性を前記基本情報として保存し、前記パラメータ保存手段は、少なくとも、設計工程で用いられる部品の設計パラメータ、及び、部品又は作業対象物の製造工程で用いられる部品の製造パラメータを前記パラメータとして保存し、前記生成手段は、前記基本情報保存手段により保存される仕様又は特性と、前記パラメータ保存手段により保存される設計パラメータ又は製造パラメータとを用いて、各作業工程の図面要素を生成する。
【０００８】
好適には、前記作業工程には、少なくとも、設計工程及び製造工程を含み、前記格納手段は、部品の図面要素を、少なくとも、部品の用途と、作業工程とに関連付けて格納する。
【０００９】
好適には、前記用途には、部品の密集度を示す設計密度が含まれ、前記格納手段は、部品の図面要素を、部品の設計密度と、作業工程とに関連付けて格納する。
【００１０】
好適には、前記格納手段は、図面要素に加えて、製品の設計工程で作成される文書、製品の製造工程で作成される文書、及び、製品の保守工程で作成される文書を、各作業工程に関連付けて格納し、製品ライフサイクル管理システムとして機能する。
【００１１】
本発明に係る情報管理方法は、コンピュータが、設計又は製図に用いるための図面要素を作業工程に関連付けてデータベースに格納するステップと、コンピュータが、ユーザにより指定された作業工程に基づいて、前記データベースから図面要素を読み出すステップとを有する。
【００１２】
本発明に係るプログラムは、情報管理方法設計又は製図に用いるための図面要素を作業工程に関連付けてデータベースに格納するステップと、ユーザにより指定された作業工程に基づいて、前記データベースから図面要素を読み出すステップとをコンピュータに実行させる。
【発明の効果】
【００１３】
本発明によれば、作業工程間の連携を円滑にし、作業工程間の認識の相違を軽減することが出来る。
【図面の簡単な説明】
【００１４】
【図１】本実施形態に係る製品情報管理システム２の概要を説明する図である。
【図２】図面情報管理プログラム４０の構成を説明する図である。
【図３】製品情報記憶プログラム５０の構成を説明する図である。
【図４】基本情報１２の構成を例示する図である。
【図５】設計パラメータ１５の構成を例示する図である。
【図６】製造パラメータ１６の構成を例示する図である。
【図７】情報表示処理（Ｓ１０）を説明するフローチャートである。
【発明を実施するための形態】
【００１５】
まず、本実施形態の背景と概要を説明する。
ＣＡＤ（Ｃｏｍｐｕｔｅｒ  Ａｉｄｅｄ  Ｄｅｓｉｇｎ）システムなどに用いられる情報管理システムは、例えば、部品に関する基本情報を属性別、ツール別、バージョン別に格納し、各々に格納される基本情報に基づき抽出及び生成することで、図面情報を提供していた。しかし、部品に関する基本情報は、ＣＡＤシステム内に保存されるため、ＣＡＤシステムを扱う設計工程に留まり、他工程にまで情報が共有化されないため認識の相違が生じていた。例えば、搭載部品の変更や、設計変更や、作業担当者の変更などが生じた場合、作業工程間、又は作業担当者に情報が伝達されない可能性があり、変更内容が伝達されず、失敗に繋がる可能性がある。また、認識の相違は、作業工程数が増えるほど顕著であった。
【００１６】
一方で、本実施形態の製品情報管理システム２は、設計又は製図に用いるための図面要素を基本情報とパラメータとに基づいて生成し、生成された図面要素を、各作業工程に関連付けて格納する。製品情報管理システム２は、図面要素を、各作業工程に関連付けて格納された情報を包括的に管理し、製品ライフサイクル管理システムとして機能する。従って、製品情報管理システム２は、製品のライフサイクルにわたって包括的に情報を管理し、ユーザが指定する作業対象物や作業工程に応じて、適切な情報を提供でき、作業工程間で認識の相違なく情報を共有することができる。
【００１７】
以下、本発明の実施形態を、図面を参照して説明する。
図１は、本実施形態に係る製品情報管理システム２の概要を説明する図である。
図１に例示するように、製品情報管理システム２は、情報総括管理装置６及びクライアント端末８を有する。
情報総括管理装置６は、図面情報などを管理するコンピュータ端末である。本例の情報総括管理装置６は、外部装置（図面情報管理装置４及び製品情報記録装置５）が接続されたサーバ装置であり、製品ライフサイクル管理システム（ＰＬＭシステム）として機能する。
クライアント端末８は、ユーザが操作するコンピュータ端末であり、情報総括管理装置６にアクセスして、製品に関する情報の登録、検索、又は編集を行う。本例のクライアント端末８は、製品の各作業工程における作業現場に設置され、通信機能を有するパーソナルコンピュータである。また、クライアント端末８は、スキャナ（ネットワークスキャナ）、ＰＤＡ、携帯電話、スマートフォン（多機能型携帯電話）、タブレット端末、又は複合機であってもよい。
【００１８】
情報総括管理装置６は、図面情報管理装置４と、製品情報記録装置５とを有する。
図面情報管理装置４は、例えば、後述する図面情報管理プログラム４０がインストールされたコンピュータであり、基本情報１２とパラメータ１４とから生成される図面要素１０の保存及び管理を行う。
【００１９】
製品情報記録装置５は、例えば、後述する製品情報記憶プログラム５０がインストールされたコンピュータであり、製品又はその一部を構成する部品の情報を、製品又はその一部を生産する作業工程に関連付けて記録する。例えば、部品情報は、必要部品の識別情報、及び部品数などである。
【００２０】
次に、図１を用いて、本実施形態に係る製品情報管理システム２の動作を説明する。
図１に例示するように、本例の作業工程には、製品の企画工程、設計工程、製造工程、検査工程、及び保守工程が含まれる。本実施形態では、説明の便宜上、設計工程と製造工程とに着目して説明する。
クライアント端末８は、上記作業工程にそれぞれ用意される。ユーザは、クライアント端末８を介して情報総括管理装置６にログインする。情報総括管理装置６は、クライアント端末８に、例えば、製品仕様別、部品仕様別、及び作業工程別に情報を検索できる検索条件を選択させ、検索対象の情報を入力させる。情報総括管理装置６は、ユーザが指定した検索対象に関する情報（図面要素１０などが含まれる）を作業工程に関連付けてクライアント端末８に表示させる。
具体的には、情報総括管理装置６は、図面情報管理装置４から、ユーザが指定した作業対象物（製品など）の基本情報１２及びパラメータ１４を選択し、基本情報１２及びパラメータ１４に基づいて生成した図面要素１０を、ユーザが指定した作業工程に関連付けて、クライアント端末８に一覧表示させる。
【００２１】
図２は、図面情報管理プログラム４０の構成を説明する図である。
図２に例示するように、図面情報管理プログラム４０は、基本情報保存部４００、パラメータ保存部４１０、図面情報生成部４２０、図面情報格納部４３０、図面情報読出部４４０、及び関連付部４５０を有する。
【００２２】
図４は、基本情報１２を例示する図である。
基本情報保存部４００は、作業対象物を構成する部品に関する情報であって、複数の作業工程で共通する情報（基本情報）を保存する。具体的には、基本情報保存部４００は、製品又はその一部を構成する部品に関する情報であって、全作業工程及び複数のＣＡＤソフトウェアで共通する情報を基本情報として保存する。基本情報には、設計又は製図に用いるための図面要素１０が含まれる。ここで、図面要素１０とは、設計又は製図に用いるための要素である。
図４に例示するように、基本情報１２として、例えば、抵抗器やコンデンサといった製品を構成する部品単位で分類され、部品の詳細情報が登録される。具体的には、基本情報１２は、部品の大きさ、仕様、及び特性が登録される。
【００２３】
図５は、設計パラメータ１５を例示する図である。
図６は、製造パラメータ１６を例示する図である。
パラメータ保存部４１０は、作業工程により異なる部品情報を示すパラメータを保存する。具体的には、パラメータ保存部４１０は、設計又は製図に用いるための図面要素１０を構成するパラメータ１４を保存する。パラメータ１４には、少なくとも設計パラメータ１５及び製造パラメータ１６が含まれる。
また、図５に例示するように、設計パラメータ１５は、少なくとも、設計工程に対応する部品情報のパラメータである。具体的には、設計パラメータ１５は、設計工程に関する部品の詳細情報が登録される。設計パラメータ１５は、例えば、しきい値、及び外径が登録される。
【００２４】
また、図６に例示するように、製造パラメータ１６は、製造工程に対応する部品情報を示すパラメータである。具体的には、製造パラメータ１６は、製造に関する部品の詳細情報である。製造パラメータ１６は、例えば、加工工場、及び、部品装着時の加工の判断に関する情報である。
ここで、図４は、分類項目の抵抗器を選択した場合の基本情報１２を例示する。また、図５は、抵抗器に関する設計パラメータ１５を例示し、図６は、抵抗器に関する製造パラメータ１６を例示する。基本情報１２、設計パラメータ１５、及び製造パラメータ１６は、これに限定するものではなく、製品を構成する部品に付与され、記載内容も適宜に変更できる。
【００２５】
図面情報生成部４２０は、基本情報保存部４００に保存される基本情報１２と、パラメータ保存部４１０に保存されるパラメータ１４とに基づいて、図面要素１０を生成する。
具体的には、図面情報生成部４２０は、基本情報保存部４００に保存される基本情報１２として、少なくとも作業対象物を構成する部品の仕様及び特性を用い、パラメータ保存部４１０に保存されるパラメータ１４の設計工程に対応する設計パラメータ１５、及び、製造工程に対応する製造パラメータ１６を用いて、設計工程及び製造工程の図面要素１０をそれぞれ生成する。
【００２６】
図面情報格納部４３０は、設計又は製図に用いるための図面要素１０を、作業工程に関連付けて格納する。
具体的には、図面情報格納部４３０は、基本情報１２と各作業工程のパラメータ１４とに基づいて生成された図面要素１０を、用途、作業工程及びツール（各作業工程で用いられるＣＡＤツールやマウンタなど）に関連付けて格納する。
より具体的には、図面情報格納部４３０は、図面情報生成部４２０により生成された図面要素１０を格納する。用途として、少なくとも構成部品の密集度を示す設計密度を含み、作業工程として、少なくとも設計工程及び製造工程が含まれる。（図５、図６参照）
【００２７】
図面情報読出部４４０は、ユーザにより指定された作業工程に基づいて、図面情報格納部４３０から図面要素１０を読み出す。具体的には、図面情報読出部４４０は、ユーザに指定された作業工程及び製品又は部品の識別情報に基づいて、図面情報格納部４３０に格納された図面要素１０を読み出し、さらに、後述する作業工程管理部５１０に保存される作業工程に関連付けた情報を取得し、読み出された図面要素１０をクライアント端末８に一覧表示させる。
【００２８】
関連付部４５０は、設計又は製図に用いるための図面要素１０を、作業工程に関連付ける。
関連付部４５０は、図面要素１０を、少なくとも構成部品の密集度を示す設計密度を含む用途と、作業工程とに関連付ける。
具体的には、関連付部４５０は、図面情報生成部４２０が生成する図面要素１０を、後述する作業工程管理部５１０に管理される作業工程に関連付ける。
より具体的には、関連付部４５０は、図面情報生成部４２０により生成された図面要素１０を、作業工程管理部５１０に管理される製品又はその一部を構成する部品に対応する作業工程に、関連付ける。
【００２９】
図３は、製品情報記憶プログラム５０の構成を説明する図である。
図３に例示するように、製品情報記憶プログラム５０は、製品情報保存部５００及び作業工程管理部５１０を有する。
【００３０】
製品情報保存部５００は、作業対象物を構成する構成内容を保存する。具体的には、製品情報保存部５００は、製品又はその一部を構成する部品の情報を保存する。製品情報保存部５００は、少なくとも部品情報として、必要部品、及び部品数を保存する。
【００３１】
作業工程管理部５１０は、作業対象物の作業工程を管理する。具体的には、作業工程管理部５１０は、製品情報保存部５００により保存される製品又はその一部に関する作業工程を管理する。より具体的には、作業工程管理部５１０は、製品又はその一部を製造する作業工程を、少なくとも、企画工程、設計工程、製造工程、及び検査工程に分類し、製品情報保存部５００により保存される製品又はその一部の部品情報を、分類される作業工程に対応付けて格納する。
【００３２】
図７は情報表示処理（Ｓ１０）を説明するフローチャートである。
図７に例示するように、ステップ１００（Ｓ１００）において、ユーザは、クライアント端末８から情報総括管理装置６にログインする。
【００３３】
ステップ１０５（Ｓ１０５）において、図面情報読出部４４０は、情報総括管理装置６にログインしたユーザに対応する作業工程を選択し、選択された作業工程に基づいて、クライアント端末８に表示する製品又はその一部の情報の範囲を選定する。
【００３４】
ステップ１１０（Ｓ１１０）において、図面情報読出部４４０は、クライアント端末８に、製品仕様別、部品仕様別及び作業工程別に情報を検索できる検索条件を選択させ、選択された検索条件に関して、検索対象の情報を入力させる。
【００３５】
ステップ１１５（Ｓ１１５）において、図面情報生成部４２０は、基本情報保存部４００に保存される基本情報１２と、パラメータ保存部４１０に保存されるパラメータ１４とに基づいて、ユーザに指定された製品又はその一部の情報に関する図面要素１０を生成する。
【００３６】
ステップ１２０（Ｓ１２０）において、関連付部４５０は、図面情報生成部４２０により生成された図面要素１０を、作業工程管理部５１０に管理される作業工程、用途及びツールに関連付ける。図面情報格納部４３０は、関連付部４５０により関連付けられた情報（図面要素１０、用途、作業工程及びツール）を格納する。
【００３７】
ステップ１２５（Ｓ１２５）において、図面情報読出部４４０は、図面情報格納部４３０により格納される情報をクライアント端末８に表示させる。具体的には、図面情報読出部４４０は、図面情報格納部４３０により格納された情報の中から、ユーザにより入力された検索対象の情報に基づいて、図面要素１０を抽出し、抽出された図面要素１０と、作業工程管理部５１０に管理される作業工程に関連付けた情報とを、クライアント端末８に表示させる。
なお、図面情報読出部４４０は、ユーザに対応する作業工程（例えば、ユーザが担当している作業工程）の情報を表示しているが、他工程や全工程の情報も条件の選択次第で表示させることもできる。
【００３８】
以上説明したように、本実施形態の製品情報管理システム２は、基本情報１２と、パラメータ１４とから生成する図面要素１０を、作業工程に関連付けて包括的に管理することで、作業工程間での情報共有ができる。
また、製品情報管理システム２は、基本情報１２と、パラメータ１４とに基づいて情報を生成することで、ログインするユーザに合わせて、情報が選択されるため情報の錯誤がより減少する。
また、製品情報管理システム２は、基本情報１２と、パラメータ１４とに基づいて生成した図面要素１０を、作業工程に関連付けることで、ログインするユーザが担当する作業工程の前後の作業工程の内容を把握することができるため、作業工程が異なっても情報の相違が減少する。
【００３９】
また、製品情報管理システム２は、包括的に管理できるため、製造工程での部品情報を参照しながら図面内容を把握できるため設計工程の意図が読取り易くなる。また、他工程も同様である。
また、製品情報管理システム２は、図面の変更や、問題点の改善を施した場合、情報伝達が迅速になり、情報の相違も減少する。情報の伝達速度や情報の相違は、作業工程数や、作業人数が多い場合や、施設敷地が広大である場合であるほどより顕著になる。
【符号の説明】
【００４０】
２…製品情報管理システム
４…図面情報管理装置
５…製品情報記録装置
６…情報総括管理装置
８…クライアント端末
１０…図面要素
１２…基本情報
４０…図面情報管理プログラム
４００…基本情報保存部
４１０…パラメータ保存部
１４…パラメータ
１５…設計パラメータ
１６…製造パラメータ
４２０…図面情報生成部
４３０…図面情報格納部
４４０…図面情報読出部
４５０…関連付部
５０…製品情報記憶プログラム
５００…製品情報保存部
５１０…作業工程管理部
【図１】
0006010735.tif 000002
【図２】
0006010735.tif 000003
【図３】
0006010735.tif 000004
【図４】
0006010735.tif 000005
【図５】
0006010735.tif 000006
【図６】
0006010735.tif 000007
【図７】
0006010735.tif 000008